(57)【要約】【課題】太陽電池パネルを構成するフレームを雪止め具等の外設部材の固定部分とすることなく、太陽電池パネルの表面に各種の外設部材を配置させるための外設部材の取付材及びそれを用いた外設部材を備える外装構造を提供する。【解決手段】  本発明は、下地３０上に太陽電池パネル６を敷設した外装構造に外設部材２を取り付けるための取付材１であり、下地３０への固定部１１と、太陽電池パネル６上に延在する外設部材２を取り付けるための取付受部２３と、を有することを特徴とする。【選択図】図１
2014051816.tif 000002
【特許請求の範囲】
【請求項１】
下地上に太陽電池パネルを敷設した外装構造に外設部材を取り付けるための取付材であって、
下地への固定部と、太陽電池パネル上に延在する外設部材を取り付けるための取付受部と、を有することを特徴とする外設部材の取付材。
【請求項２】
太陽電池パネル上に沿在する押さえ部を有することを特徴とする請求項１に記載の外設部材の取付材。
【請求項３】
外設部材は、起立状部を備える起立材であることを特徴とする請求項１又は２に記載の外設部材の取付材。
【請求項４】
下地上に隣接する太陽電池パネル間に請求項１〜３の何れか一項に記載の取付材を固定すると共にその取付受部に外設部材を取り付けてなることを特徴とする外設部材を備える外装構造。
【請求項５】
隣接する太陽電池パネルは、少なくとも流れ方向に一定間隔で離間状に配設されていることを特徴とする請求項４に記載の外設部材を備える外装構造。
【請求項６】
外設部材は、少なくとも２つの取付材に架設状に取り付けられていることを特徴とする請求項４又は５に記載の外設部材を備える外装構造。
【発明の詳細な説明】
【技術分野】
【０００１】
本発明は、太陽電池パネルを構成するフレームを雪止め具等の外設部材の固定部分とすることなく、太陽電池パネルの表面に各種の外設部材を配置させるための外設部材の取付材及びそれを用いた外設部材を備える外装構造に関する。
【背景技術】
【０００２】
太陽電池を屋根上に設置或いは屋根材として敷設した場合、降雪等による積雪に対し、以下のような対策が採られている。
例えば特許文献１には、太陽電池モジュールの上面にポリカーボネート等の透明部材からなる雪止め具を配置することが記載され、特許文献２には、太陽電池瓦１の軒側に固定した横フレーム２ｂに雪止め具５を固定する構成が記載され、特許文献３には、太陽電池モジュール１０の水下側に雪止部材１６０を配設した構造が記載され、特許文献４には、雪止部１ｂ及び回転防止部ｂｃを有する雪止め部材１を、フレーム部材３を介して太陽電池モジュール２に固定する構成が記載され、特許文献５には、上方に突条の三角頂部を有する雪止め具６５を取り付ける構造が記載されている。
【先行技術文献】
【特許文献】
【０００３】
【特許文献１】特開２０００−１７８００号公報
【特許文献２】特許第３７００６４６号公報
【特許文献３】特開２００９−２９９４５１号公報
【特許文献４】特開２００６−２７８６７１号公報
【特許文献５】特開２００５−１３３５０３号公報
【発明の概要】
【発明が解決しようとする課題】
【０００４】
しかしながら、前記特許文献１〜５等に記載の提案では、雪止め具で雪の滑落を堰き止めるものであるが、雪の滑落を堰き止めることにより積雪部分が太陽電池の受光面積を減少させ、その結果、発電量の低下に繋がるという問題があった。なお、前記特許文献１では、雪止め具の遮光を考慮して透明部材を用いているものの、雪止め具にて堰き止められる積雪の遮光については全く考慮されていなかった。
また、これらの提案における各雪止め具は、それぞれの太陽電池屋根に対して用いられるものであり、どのような太陽電池にも対応できるものではなかった。
さらに、これらの提案は雪を堰き止めることを目的とするため、多くの提案ではパネルと屋根間の空間について殆ど考慮されておらず、また隣接するパネル間の間隔についても殆ど考慮されていなかった。
【０００５】
そこで、本発明は、雪止め具等の外設部材にて雪を堰き止めることなくパネル間の間隔又はパネルの裏面空間に導くことができ、様々な太陽電池にも対応できる外設部材の取付材及びそれを用いた外設部材を備える外装構造を提案することを目的とする。
【課題を解決するための手段】
【０００６】
本発明は、上記に鑑み提案されたもので、下地上に太陽電池パネルを敷設した外装構造に外設部材を取り付けるための取付材であって、下地への固定部と、太陽電池パネル上に延在する外設部材を取り付けるための取付受部と、を有することを特徴とする外設部材の取付材に関するものである。
【０００７】
また、本発明は、前記取付材において、太陽電池パネル上に沿在する押さえ部を有することを特徴とする外設部材の取付材をも提案する。
【０００８】
また、本発明は、前記取付材において、外設部材は、起立状部を備える起立材であることを特徴とする外設部材の取付材をも提案する。
【０００９】
さらに、本発明は、下地上に隣接する太陽電池パネル間に前記取付材を固定すると共にその取付受部に外設部材を取り付けてなることを特徴とする外設部材を備える外装構造をも提案するものである。
【発明の効果】
【００１０】
本発明の外設部材の取付材は、下地への固定部と太陽電池パネル上に延在する外設部材を取り付けるための取付受部を有するので、外設部材に作用する例えば積雪や雪の滑落、風の吹き付け等の荷重を下地に負担させることができる。また、この取付材自体及びそれに取り付ける外設部材を、太陽電池パネルの構成に影響されることなく強固に固定できるので、各種の太陽電池パネルに対して容易に適用することができる。
【００１１】
また、太陽電池パネル上に沿在する押さえ部を有する場合には、この取付材を太陽電池パネルを保持する固定部材としても用いることができ、別途固定部材を準備することがなく、使用材料（部品点数）の低減を果たすことができる。
【００１２】
また、外設部材が、起立状部を備える起立材である場合には、雪止め具として、さらに隣接する太陽電池パネル間及び／又は太陽電池パネルの端部に配設することにより、雪を太陽電池パネル間へ、又は該パネル間から裏面空間へ落とすことができる。そのため、前記従来構造のように雪の堰き止めが生ずることがなく、該堰き止め（にて遮光されること）による効率低下を防ぐこともできる。
さらに、前記起立状部は、太陽電池パネルの裏面空間内の空気を排出する作用も果たすので、太陽電池パネルの裏面空間内の排熱が円滑に行え、太陽電池セルの発電効率の低下を抑制することができる。
しかも、この裏面空間の排熱が太陽電池パネル間又はその裏面空間に落とした雪を円滑に溶かし、逆に裏面空間に落とされた雪が裏面空間の温度上昇の抑制に寄与するものとなる。
【００１３】
さらに、下地上に隣接する太陽電池パネル間に、前記取付材を固定すると共にその取付受部に外設部材を取り付けてなる外装構造は、前述のように太陽電池パネルの構成に影響されることなく取付材自体及びそれに取り付ける外設部材を取り付けるものであるから、各種の太陽電池パネルに対して容易に適用することができる。
【００１４】
また、隣接する太陽電池パネルは、少なくとも流れ方向に一定間隔で離間状に配設されている場合には、取付材及び雪止め具等の外設部材をその間隔にそれぞれ設けることができるため、雪を間隔へ落とす効果を各間隔毎に果たすことができる。
【００１５】
また、外設部材が、少なくとも２つの取付材に架設状に取り付けられている場合には、外設部材の取付強度が大きくなるため、この外設部材に強風や豪雨、豪雪などが作用しても耐久性が高いものとなる。
【図面の簡単な説明】
【００１６】
【図１】（ａ）折板屋根上に太陽電池を敷設した外設部材（雪止め具）を備える外装構造（雪止め構造）の一実施例（第１実施例）を示す拡大平面図、（ｂ）その拡大正面図、（ｃ）その拡大側面図、（ｄ）それに用いた取付材及び外設部材を示す斜視図、（ｅ）取付材に外設部材を取り付けた状態を示す斜視図である。
【図２】（ａ）第１実施例の外装構造（雪止め構造）の施工手順を示し、折板屋根上に支持金具を取り付けた状態を示す斜視図、（ｂ）支持金具に受け金具を取り付けた状態を示す斜視図、（ｃ）太陽電池パネルを敷設した状態を示す斜視図、（ｄ）受け金具に取付材を固定した状態を示す斜視図、（ｅ）取付材に外設部材を取り付けた状態を示す斜視図、（ｆ）用いた支持金具の拡大斜視図、（ｇ）用いた受け金具の拡大斜視図である。
【図３】図２の施工手順により施工された第１実施例の外装構造（雪止め構造）を示す斜視図である。
【図４】（ａ）折板屋根上に太陽電池を敷設した外設部材（雪止め具）を備える外装構造（雪止め構造）の他の一実施例（第２実施例）を示す拡大平面図、（ｂ）その拡大正面図、（ｃ）その拡大側面図、（ｄ）それに用いた取付材及び外設部材を示す斜視図である。
【図５】（ａ）折板屋根上に太陽電池を敷設した外設部材（雪止め具）を備える外装構造（雪止め構造）の他の一実施例（第３実施例）を示す拡大平面図、（ｂ）その拡大正面図、（ｃ）その拡大側面図、（ｄ）それに用いた取付材及び外設部材を示す斜視図、（ｅ）取付材に外設部材を取り付けた状態を示す斜視図である。
【図６】（ａ）折板屋根上に太陽電池を敷設した外設部材（雪止め具）を備える外装構造（雪止め構造）の他の一実施例（第４実施例）を示す拡大平面図、（ｂ）その拡大正面図、（ｃ）その拡大側面図、（ｄ）それに用いた取付材及び外設部材を示す斜視図、（ｅ）取付材に外設部材を取り付けた状態を示す斜視図である。
【図７】（ａ）折板屋根上に太陽電池を敷設した外設部材（雪止め具）を備える外装構造（雪止め構造）の他の一実施例（第５実施例）を示す拡大平面図、（ｂ）その拡大正面図、（ｃ）その拡大側面図、（ｄ）それに用いた取付材及び外設部材を示す斜視図、（ｅ）取付材に外設部材を取り付けた状態を示す斜視図である。
【図８】（ａ）第６実施例の外装構造（雪止め構造）の施工手順を示し、折板屋根上に支持金具を取り付けた状態を示す斜視図、（ｂ）支持金具に受け金具を取り付けた状態を示す斜視図、（ｃ）太陽電池パネルを敷設した状態を示す斜視図、（ｄ）受け金具に取付材を固定した状態を示す斜視図、（ｅ）取付材に外設部材を取り付けた状態を示す斜視図、（ｆ）用いた取付材の拡大斜視図、（ｇ）用いた外設部材の拡大斜視図、（ｈ）用いた受け金具の拡大斜視図である。
【図９】（ａ）折板屋根上に太陽電池を敷設した外設部材（雪止め具）を備える外装構造（雪止め構造）の他の一実施例（第６実施例）を示す拡大平面図、（ｂ）その拡大正面図、（ｃ）その拡大側面図である。
【発明を実施するための形態】
【００１７】
本発明の外設部材の取付材は、下地上に太陽電池パネルを敷設した外装構造に外設部材を取り付けるための取付材であって、下地への固定部と、太陽電池パネル上に延在する外設部材を取り付けるための取付受部と、を有することを特徴とする。
この構成により、外設部材に作用する例えば積雪や雪の滑落等の荷重を下地に負担させることができる。また、太陽電池パネルの構成に影響されることなく強固に固定できるので、広範な各種の太陽電池パネルに対して適用でき、実用的価値が高い。
【００１８】
本発明に用いる太陽電池パネルは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池パネルは、上記のモジュール、シート、ボード等をそのまま敷設するものでも、周縁に枠体（フレーム）を配して敷設するものでもよい。
さらに、発電量を増大させるために両面受光（発電）型の太陽電池を用いてもよく、この場合、太陽電池の下方に反射部を介在させればよく、下地が兼用するものでも別途設けるものでもよい。
【００１９】
前記外設部材としては、後述する図示実施例では、起立状部を備える起立材を雪止め具として用いたが、太陽電池パネル上に延在させるものであれば特にこれに限定するものではなく、例えば避雷針、アンテナ等を用いてもよい。また、この外設部材には、取付材の取付受部に固定するための取付部が設けられるが、この取付部は、後述する取付受部の構成に応じてどのように形成してもよい。
【００２０】
起立状部を備える起立材が外設部材として好ましいのは、この起立材を隣接する太陽電池パネル間及び／又は太陽電池パネルの端部に配設することにより、雪を堰き止めることなく、雪を太陽電池パネル間へ、或いは該パネル間から裏面空間へ落とすこともできるからである。
さらに、前記起立材の起立状部は、太陽電池パネルの裏面空間内の空気を排出することが可能であり、太陽電池パネルの裏面空間内の排熱が円滑に行え、太陽電池セルの発電効率の低下を抑制することができる。
【００２１】
また、前記下地は、前記太陽電池パネルを敷設する各種の屋根構造を指し、具体的には既存の瓦、スレート、金属等の公知の屋根であっても、新たに敷設される瓦、スレート、金属等からなる屋根であってもよい。また、屋根材に取り付けられた金具等でもよい。なお、金属等によって構成される既存もしくは新設の屋根は、横葺き状、縦葺き（瓦棒葺き、平滑状等）、折板等の如何なるものであってもよい。また、塩ビ等の防水シートからなる防水層であってもよい。
【００２２】
そして、前述のように本発明の取付材は、前記下地への固定部と、前記外設部材を取り付けるための取付受部とを有する構成であり、これらの固定部及び取付受部については特にその形状等を限定するものではない。
例えば固定部に関しては、平坦状でも逆Ｌ字状でもよく、特にその形状を限定するものではない。また、固定部を下地に沿わせて直接的に固定してもよいし、例えば高さ調整具を介して固定部を間接的に下地に固定してもよく、或いは固定部を加工して高さ調整してもよい。なお、この固定部を固定する下地は、隣接する太陽電池パネル間に位置する下地を指し、或いはそれらの上に支持金具や受け金具、或いは下地から上方へ延在させたボルト材に固定するものであってもよい。
また、取付受部についても、前述の外設部材（の取付部）の構成に応じてどのように形成してもよく、後述する図示実施例では、取付受部を上方へ突出する縦片状とし、取付部を該縦片が下方から挿入される溝状とし、これらを嵌合状に仮止めした（沿わせた）状態でビス止めして固定したが、必ずしもこの構成に限定するものではない。
【００２３】
また、この取付材には、後述する図示実施例のように前記取付受部を太陽電池パネル上に延在させるための縦片状の持出部を固定部と取付受部との間に設けてもよい。
さらに、この取付材には、太陽電池パネル上に沿在する押さえ部を設けてもよい。この場合には、取付材は、太陽電池パネルを保持する固定部材を兼ねる部材となる。
また、この取付材には、隣接する太陽電池パネル間を覆う覆い部を設けて目地キャップ材を兼ねるようにしてもよい。
なお、前述のように取付材には、必要に応じて押さえ部や覆い部を設けるようにしてもよいが、それらを設けない場合には、適宜に固定部材や目地キャップ材を必要に応じて取り付ければよい。また、隣接する太陽電池パネル間には、必要に応じて、パンチング、メッシュ、網等の空気の流れを阻害しないものであればごみ等の侵入を防止する部材を配してもよい。
【００２４】
このような構成を有する本発明の取付材を用いた外設部材を備える外装構造は、取付材自体及びそれに取り付ける外設部材を、太陽電池パネルを構成するフレーム等の形状や寸法などに影響されることなく強固に固定できるので、新設、既設を問わず、各種の太陽電池パネルに対して容易に適用できる。即ち太陽電池パネルを備える外装構造が、隣接する太陽電池パネル間に所定の間隔、要するに本発明の取付材を取り付け得る間隔を有するものであれば、特に構成を変更すること無く付加的に取り付けることができる。また、各種の高さ寸法の異なる太陽電池パネルに対しても、例えば前述のように高さ調整具を介して下地に固定することにより、各種の太陽電池パネルに対して容易に適用してもよい。
【実施例１】
【００２５】
図１〜図３に示す本発明の第１実施例は、ハゼ組み式の折板屋根３０上に太陽電池パネルを敷設した外装構造に、取付材１を固定し、該取付材１の取付受部１２に外設部材２として雪止め具を取り付けた雪止め構造である。
【００２６】
この第１実施例の取付材１は、図１（ｄ）に示すように下地（支持金具）への固定部１１と、外設部材２を取り付けるための取付受部１２とを有し、固定部１１と取付受部１２との間には縦片状の持出部１３が設けられ、該持出部１３の上端から外方へ略平坦状に延在する押さえ部１４が設けられている。
前記固定部１１は、逆Ｌ字状であって、その略水平状の横片には孔１１１が設けられている。
前記取付受部１２は、内側（水上側）上方へ突出する縦片状であって、前記押さえ部１４を挟むように左右の端縁にそれぞれ設けられている。
【００２７】
なお、前述のように前記取付材１は、押さえ部１４を備えるため、対向状に隣接して配される太陽電池パネル６，６のうちの水下側（軒側）の太陽電池パネル６を固定する固定部材を兼ねる部材である。これに対し、水上側（棟側）の太陽電池パネル６を固定する部材（固定部材）１０は、前記取付受部１２を備えない以外はこの取付材１と全く同様であるから、図面に同一符号を付して説明を省略する。
【００２８】
前記外設部材（雪止め具）２は、図１（ｄ），（ｅ）に示すように略Ｓ字状に成形された起立状部２１を備える起立材であり、その水上面側に下方が開放する溝状の取付部２２が設けられている。なお、図中、２３は取付ビスである。
【００２９】
また、前記折板屋根３０は、山部と谷部とを構成する外装材３Ａと、図示しない下地材に固定されて前記外装材３を保持する保持部材３Ｂとからなる。この折板屋根３０を構成する外装材３Ａは、図１（ｂ）、図２（ａ）、及び図３に示すように略平坦状の平板部３１の左右に傾斜状に立ち上がる立ち上がり部３２，３２を有し、各立ち上がり部３２の外側へ載置部３３が形成され、該載置部３３の外側を略鉛直状に起立させて起立部３４としたものであり、隣接する外装材３，３の当該部分を重合させてカシメてハゼ部としたものであり、外側に位置する重合部３５と内側に位置する被重合部３５'とした構成である。
【００３０】
前記折板屋根３０には、図２（ｆ）に示す左右分割型の（支持金具の）本体４Ａと略ハット型の連結枠体４Ｂと上向きの縦ボルト４Ｃとを一体化してなる支持金具４が取り付けられ、さらにその上面には、図２（ｇ）に示す断面略低ハット状の受け金具５が取り付けられている。
【００３１】
前記支持金具４を構成する本体４Ａは、上端に略平坦状の受けフランジ４１が設けられ、その下方に通孔を有する縦片部分を介して外方へ膨出状の包持部４２が設けられ、さらにその他方に着座部４３が設けられている。
そして、この本体４Ａと連結枠体４Ｂと縦ボルト４Ｃとは、係合状に組み合わされ、その着座部４３を折板屋根３０の載置部３３上に受支させると共に、その包持部４２がハゼ部３５，３５'を覆うように配置した状態で前記縦片部分に設けた通孔に連結具４４を締着することにより一体化され、折板屋根構造上に太陽電池パネルを敷設するための基準面を構成する。
このような構成を有する支持金具４は、各種の外装構造に適用できるものであって、各構成部材の作成も、その取付施工も極めて容易である。
【００３２】
前記受け金具５は、前後の端縁が前記支持金具４の受けフランジ４１に沿わせる受支部５１，５１であり、その間に隆状に形成された固定受部５２が形成され、該固定受部５２の略中央には、前記支持金具４の縦ボルト４Ｃが挿通する孔５２１が形成され、その前方及び後方には、上方へ延在するボルト材５３，５３が一体的に立設されている。
この受け金具５は、後述する太陽電池パネル６の敷設を容易にするものであって、受支部５１．５１と固定受部５２との間の段差が、太陽電池パネル６，６の端縁を係止する位置規制作用を果たす。
【００３３】
前記太陽電池パネル６は、太陽電池セルをガラス等に積層させてモジュール化し、周縁に枠体（フレーム）６１を配して敷設したものである。このフレーム６１は、上端に略コ字状の保持部分を有し、該保持部分から下方へ沿在する縦片部分を有し、下端には前記受け金具５の受支部５１上に沿わせる着地部分が形成され、この下端（着地部分）が前記受け金具５の受支部５１上に支持される状態で敷設されている。
【００３４】
これらの各部材からなる外装構造（雪止め構造）の施工手順を図２（ａ）〜（ｅ）に基づいて以下に説明する。
まず、図２（ａ）に示すようにハゼ組み式の折板屋根３０上に、前記構成の支持金具４を一体状に取り付ける。この支持金具４の取付は、予め本体４Ａと連結枠体４Ｂと縦ボルト４Ｃとを一体状に組んだ状態で、前記折板屋根３０に形成されたハゼ部３５，３５'の左右から本体４Ａを組み付けることで半ば自動的に一体化され、縦ボルト４Ｃが支持金具４に立設されるものとなる。
次に、図２（ｂ）に示すように取り付けた支持金具４の縦ボルト４Ｃに、前記構成の受け金具５を挿通させてナット４Ｄで固定する。
【００３５】
続いて、図２（ｃ）に示すように取り付けた受け金具５の受支部５１，５１に、前記構成の太陽電池パネル６，６の棟端（下面）、軒端（下面）を支持させて敷設する。
なお、前述のように受け金具５は、受支部５１．５１と固定受部５２との間に段差があるので、該段差（位置規制部）に太陽電池パネル６の端縁を押し当てるように敷設することにより、位置規制が果たされる。
【００３６】
次に、図２（ｄ）に示すように前記構成の取付材１を、その固定部１１に設けた孔１１１に、取り付けた受け金具５のボルト材５３に挿着させ、ナット５４を締着すると共に、その押さえ部１４を敷設した太陽電池パネル６の棟端（上面）に沿在するように保持させて固定する。なお、同図では省略しているが、ボルト材５３には図１（ｃ）に示すように筒状のスペーサ７を装着し、固定部１１の形状、寸法に応じた高さ調整を行っており、逆Ｌ字状に形成された固定部１１の横片がスペーサ７上に、その縦片の下端が受け金具５の固定受部５２に着地する状態で固定されている。
【００３７】
その後、図２（ｅ）に示すように固定した取付材１の取付受部１２に、前記構成の外設部材（雪止め具）２の取付部２２を係合させるように配設すると共に、取付ビス２３にて固定する。
【００３８】
なお、この図２には、図示していないが、棟側に隣接する太陽電池パネル６の軒端を保持する前記固定部材１０を配設した状態を図１及び図３には示している。
そして、この固定部材１０の取付手順についても、前述のように取付受部１２を備えない以外は前記取付材１と全く同様の構成であるため、前記施工手順とほぼ同様に容易に取り付けることができる。
【００３９】
図１（ａ）〜（ｃ）及び図３は、このような施工手順にて施工された外装構造（雪止め構造）を示し、外設部材（雪止め具）２を取り付けるための取付材１は、下地（＝受け金具５）に取り付けるものであるから、従来のように太陽電池パネル６のフレーム６１には全く影響を与えないので、各種の太陽電池パネルに対して適用でき、既設の太陽電池パネルを用いた外装構造にも容易に適用することができ、実用的価値が高いものである。
【００４０】
また、この第１実施例の取付材１は、隣接する太陽電池パネル６，６のうちの棟側に位置する太陽電池パネル６の棟端上に沿在する押さえ部１４を有するので、この取付材１は固定部材を兼ねるものであり、使用材料（部品点数）の低減を果たすことができる。
【００４１】
さらに、この第１実施例では、外設部材２が起立状部２１を備える起立材であるため、雪止め具として、さらに隣接する太陽電池パネル６，６間から裏面空間６２へ落とすこともできる。そのため、雪の堰き止めが生ずることがなく、該堰き止め（にて遮光されること）による効率低下を防ぐこともできる。
さらに、前記起立状部２１は、太陽電池パネル６の裏面空間６２内の空気を排出する作用も果たすので、太陽電池パネル６の裏面空間６２内の排熱が円滑に行え、太陽電池セルの発電効率の低下を抑制することができる。
なお、この裏面空間６２とは、図１（ｂ），（ｃ）に示すように太陽電池パネル６と下地（折板屋根３０）との間の空間を指す。
【００４２】
なお、この第１実施例には、スペーサ７等の高さ調整具を用いているが、各種の高さ寸法の異なる太陽電池パネルに対しては、それに応じた高さの取付材を準備しておくようにしてもよいし、或いは高さ寸法の異なる高さ調整具を複数種類準備しておくようにしてもよい。
【００４３】
また、この第１実施例では、図３に示すように流れ方向に太陽電池パネル６，６が一定間隔で離間状に配設されているので、取付材１及び外設部材２をその間隔にそれぞれ設けることができ、雪を間隔へ落とす効果を各間隔毎に果たすことができる。
さらに、この第１実施例では、図３に示すように外設部材２が、左右方向（＝桁行き方向）に隣接する２つの取付材１，１に架設状に取り付けられているので、外設部材２の取付強度が大きくなり、この外設部材２に強風や豪雨、豪雪などが作用しても耐久性が高いものとなっている。
【００４４】
図４に示す本発明の第２実施例は、取付材１"が隣接する両方の太陽電池パネル６，６の固定部材を兼ねるものであって、図４（ｄ）に示すように前後にそれぞれ押さえ部１４を有し、固定部１１"が略平坦状である以外は、前記第１実施例の取付材１とほぼ同様であるから、図面の同一符号を付して説明を省略する。なお、この第２実施例は、隣接する太陽電池パネル６，６の間隔が短い場合に好適である。
また、この第２実施例では、受け金具５を用いない代わりに支持金具４を構成する連結枠体４Ｂの前端及び後端が太陽電池パネル６，６の端縁を押し当てる部分（位置規制部）として機能し、支持金具４の受けフランジ４１及び縦ボルト４Ｃが取付材１"を固定する固定受部として機能し、更にはスペーサ７も縦ボルト４Ｃに装着させて高さ調整を可能としているので、この第２実施例も前記第１実施例と殆ど同様の機能を果たす。
【００４５】
この第２実施例では、前述のように取付材１"が隣接する両方の太陽電池パネル６，６の固定部材を兼ねるため、使用材料（部品点数）の低減、及び施工工程の低減が果たされる。
【００４６】
図５に示す本発明の第３実施例は、外設部材２"の起立状部２１"が曲面ではなく段状の平面にて形成されている以外は、前記第２実施例と全く同様であるから、図面に同一符号を付して説明を省略する。
【００４７】
図６に示す本発明の第４実施例は、取付材１が一方の太陽電池パネル６のみを保持する固定部材を兼ね、他方の太陽電池パネル６は別の固定部材１０にて保持する点で前記第１実施例と同様であり、受け金具５を用いない点、起立状部２１"が段状の平面にて形成されている外設部材２"を用いる点では、前記第３実施例と同様であり、図面に同一符号を付して説明を省略する。
また、この第４実施例における支持金具４"は、流れ方向の幅が長い一つの本体４Ａ"にそれぞれ二つの連結枠材４Ｂ及び縦ボルト４Ｃを一体化させている構成であり、各縦ボルト４Ｃにはスペーサ７がそれぞれ装着されて高さ調整を可能としている。
【００４８】
図７に示す本発明の第５実施例は、スペーサ７を用いない構成であって、取付材１'の固定部１１'が逆Ｌ字状でなく横片状（縦片がない）であり、縦片状の持出部１３'が縦長である以外は、前記第４実施例とほぼ同様であり、図面に同一符号を付して説明を省略する。
このように必ずしもスペーサ７を用いなくても取付材１'の持出部１３'の長さを調整するなどして高さ調整して取付受部１２の高さ、並びに太陽電池パネル６の高さ幅に調整することができる。
【００４９】
図８及び図９に示す本発明の第６実施例は、取付材１゜が図８（ｆ）に示すように隣接する両方の太陽電池パネル６，６の固定部材を兼ねる点では前記第２実施例の取付材１"と同様であるが、隣接する太陽電池パネル６，６間の隔たり間隔に応じて平板状の固定部１１゜が流れ方向に幅広であり、該固定部１１゜には、その左右端縁を下方へ折り下げた係止部１１２，１１２が設けられている。また、この取付材１゜に設けられた取付受部１２゜は、前記固定部１１゜から内側（水上側）上方へ突出する縦片状であり、前記第１実施例の取付材１の取付受部１２より縦長に形成されている。
さらに、この第６実施例の外設部材２゜は、図８（ｇ）に示すように略Ｓ字状に成形された起立状部２１を備える起立材である点では前記第１実施例の外設部材２と同様であるが、その水上面側に設けられる溝状の取付部２２゜が前記取付材１゜の取付受部１２゜に応じて高い位置に形成されている。
また、この第６実施例には、図８（ｈ）に示す受け金具５゜が用いられ、前記第１実施例の受け金具５に概略構成は近似し、略中央に孔５２１が形成されている点では共通するが、その受支部５１゜，５１゜及び固定受部５２゜は左右方向に幅広で、ボルト材５３，５３が立設されず、固定受部５２゜の流れ方向の端縁に、左右端縁を下方へ屈曲した係止部５２２，５２２が設けられた構成である。
【００５０】
これらの各部材からなる外装構造（雪止め構造）の施工手順を図８（ａ）〜（ｅ）に基づいて以下に説明する。
まず、図８（ａ）に示すようにハゼ組み式の折板屋根３０上に、前記構成の支持金具４を一体状に取り付ける手順は、前記第１実施例の図２（ａ）と全く同様である。
次に、図８（ｂ）に示すように取り付けた支持金具４の縦ボルト４Ｃに、前記構成の受け金具５゜を挿通させるが、この時点ではナット４Ｄを止着しない。
続いて、図８（ｃ）に示すように取り付けた受け金具５゜の受支部５１゜，５１゜に、太陽電池パネル６，６の棟端（下面）、軒端（下面）を支持させて敷設する。
なお、前述のように受け金具５゜には、固定受部５２゜の流れ方向の端縁に、左右端縁を下方へ屈曲した係止部５２２，５２２を設けたので、該係止部５１１、５１１に太陽電池パネル６の端縁を押し当てるように敷設することにより、位置規制が果たされる。
【００５１】
次に、図８（ｄ）に示すように前記構成の取付材１゜を、その固定部１１゜に設けた孔１１１に、取り付けた受け金具５゜を貫通して上方に延在する支持金具４の縦ボルト４Ｃに挿着させると共に、固定部１１゜の左右に設けた係止部１１２，１１２を、受け金具５゜の固定受部５２の左右端縁に上方から係止させる。さらに、その押さえ部１４，１４を、敷設した太陽電池パネル６，６の棟端（上面）及び軒端（上面）に沿在するように上方から臨ませて押さえ保持させる。この状態で縦ボルト４Ｃにナット４Ｄを締着して固定金具４、受け金具５゜、太陽電池パネル６，及び取付材１゜を一体的に固定する。
【符号の説明】
【００５２】
１，１'，１"，１゜  取付材
１０  固定部材
１１  固定部
１１１  孔
１２  取付受部
１３  持出部
１４  押さえ部
２，２"，２゜  外設部材（雪止め具）
２１  起立状部
２２  取付部
３０  折板屋根
３Ａ  外装材
３Ｂ  保持部材
３１  平板部
３２  立ち上がり部
３３  載置部
３４  起立部
３５  重合部
３５'  被重合部
４  支持金具
４Ａ  本体
４Ｂ  連結枠材
４Ｃ  縦ボルト
４Ｄ  ナット
４１  受けフランジ
４２  包持部
４３  着座部
４４  連結具
５  受け金具
５１  受支部
５２  固定受部
５３  ボルト材
５４  ナット
６  太陽電池パネル
６１  枠体（フレーム）
６２  裏面空間
７  スペーサ
【図１】
2014051816.tif 000003
【図２】
2014051816.tif 000004
【図３】
2014051816.tif 000005
【図４】
2014051816.tif 000006
【図５】
2014051816.tif 000007
【図６】
2014051816.tif 000008
【図７】
2014051816.tif 000009
【図８】
2014051816.tif 000010
【図９】
2014051816.tif 000011